(57)【要約】  板金部品８は片側に２つの穴８６ａ、８６ｂを１組として左右に２組以上を形成された係合穴部８６と、他側に一定間隔に形成された切起こし穴８７の穴縁の１辺を下方に延長した弾性係合片８７ａとを有し、樹脂部品１０は対向する開口端縁の一方に形成された係合穴部８６に係合する略コ字状の弾性係合爪１１と、対向する開口端縁の他方に形成された切起こし穴８７に通し弾性係合片８７ａの下端に係合するように下方に延長された弾性係合爪１２とを有するものである。
2010106606.tif 000002
【特許請求の範囲】
【請求項１】
板金部品と該板金部品に組付ける樹脂部品とを備え、前記板金部品は片側に２つの穴を１組として左右に２組以上を形成された係合穴と、他側に一定間隔に形成された切起こし穴の穴縁の１辺を下方に延長形成した弾性係合片とを有し、前記樹脂部品は前記係合穴に係合するように対向する開口端縁の一方に形成された略コ字状の弾性係合爪と、前記切起こし穴に通し前記弾性係合片の下端に係合するように対向する開口端縁の他方に下方に延長形成された弾性係合爪とを有することを特徴とする樹脂部品固定構造。
【請求項２】
略コ字状の弾性係合爪は、折曲がり内側を円弧状としたことを特徴とする請求項１記載の樹脂部品固定構造。
【請求項３】
弾性係合爪を偶数設け、この隣り合う弾性係合爪の向きを互いに逆向きとしたことを特徴とする請求項１記載の樹脂部品固定構造。
【請求項４】
樹脂部品の長手方向中間部を所定幅窪ませ、前記窪みの対向辺に下方に延長して弾性係合爪を形成し、前記弾性係合爪の向きを互いに逆向きとしたことを特徴とする請求項１記載の樹脂部品固定構造。
【発明の詳細な説明】
【技術分野】
【０００１】
この発明は、電子機器において、板金部品のカバーに対し樹脂部品のケースを固定する樹脂部品固定構造に関する。
【背景技術】
【０００２】
自動車等の移動体に搭載される電子機器において、例えば、地磁気センサ回路を組み込む場合は、周りに磁界を発生するものがあってはいけないので、地磁気センサ回路は樹脂部品に収納する。このため、この樹脂部品（ケース）を板金部品（カバー）に取り付ける場合は、両者を重ね合わせてねじ締め、もしくは樹脂部品の一部を板金部品に引っ掛けてねじ締めする構造であった。しかし、この構造では、ねじが必要なため、部品点数が増し、ねじ締結工数がかさみ、コストアップになるとともに、分解性も悪く、リサイクルを考慮した構造にはなっていないという課題があった。【０００３】
また、特許文献１には、衝撃によりバッテリーカバーが外れたとしても、内蔵バッテリーが飛び出さないように、バッテリーフックを解除位置からロック位置へスライドさせて係止突起を押圧することにより、内蔵バッテリーをバッテリー収納部に固定し、その後、バッテリー収納部にバッテリーカバーを組付ける携帯機器における内蔵バッテリー保持構造が開示されている。
【先行技術文献】
【特許文献】
【０００４】
【特許文献１】実開平６−１７２８６号公報
【発明の概要】
【０００５】
しかし、特許文献１に開示された構造では、バッテリー収納部にバッテリーカバーを組付けるのにねじを使用していないが、そのカバーの取り外しについては何ら考慮されていないもので、上記の課題を解消することはできない。
【０００６】
この発明は上記のような課題を解消するためになされたもので、板金部品に対し樹脂部品を固定する構造において、ねじ固定をなくし、位置決めを容易化し、組付性、分解性を改善することを目的とする。
【０００７】
この発明に係る樹脂部品固定構造は、板金部品と該板金部品に組付ける樹脂部品とを備え、板金部品は片側に２つの穴を１組として左右に２組以上を形成された係合穴と、他側に一定間隔に形成された切起こし穴及び穴縁の１辺を下方に延長形成した弾性係合片とを有し、樹脂部品は板金部品の係合穴に係合するように対向する開口端縁の一方に形成された略コ字状の弾性係合爪と、切起こし穴に通し弾性係合片の下端に係合するように対向する開口端縁の他方に下方に延長形成された弾性係合爪とを有するものである。
【０００８】
この発明によれば、板金部品の係合穴に対し略コ字状の弾性係合爪を係合させるとともに、板金部品の切起こし穴に通した弾性係合爪は該切起こし穴縁の１辺に下方に延長して形成した弾性係合片と弾性復元力で係合するように構成したので、弾性係合爪は十分な長さをとることで大きな復元力を得ることができ、板金部品に対し樹脂部品をねじを使用しないで強固に固定することができ、組付性が改善される。
【０００９】
また、略コ字状の弾性係合爪の曲がり部を円弧状とすることによって、この円弧部分が常に穴間の仕切り部の縁に接触するので、左右の位置決めが行われ、位置決めを容易化し位置ずれを防止することができる。
【００１０】
また、樹脂部品の弾性係合爪を偶数設け、隣り合う弾性係合爪の向きを互いに逆向きとしたので、一対の弾性係合爪を互いに近づける方向または遠ざける方向に移動させることにより、板金部品の弾性係合爪との係合を容易に外すことができ、分解性に優れ、リサイクル性に優れた効果が得られる。
【図面の簡単な説明】
【００１１】
【図１】この発明の樹脂部品固定構造を適用する電子機器の概要図である。
【図２】電子機器の分解斜視図である。
【図３】カバーとケースとの分解斜視図である。
【図４】図３とは反対の方向から見たカバーとケースとの分解斜視図である。
【図５】略コ字状の弾性係合爪と係合穴間の仕切り部との係合状態を示す断面図である。
【図６】弾性係合爪と弾性係合片との係合状態を示す断面図である。
【発明を実施するための形態】
【００１２】
以下、この発明をより詳細に説明する為に、この発明を実施する為の形態について、添付の図面に従って説明する。
実施の形態１．
以下、この発明の樹脂部品固定構造を図面に基づいて説明する。先ず、図１、図２に基づいて、この発明の樹脂部品固定構造を適用する電子機器の概要について説明する。この電子機器１は、箱形中空の筺体２と、この筺体２の内部に組付ける基板３と、この基板３にホルダ９を介して組付けた表示器４と、この表示器４に対向して配置するフィルタ５をフード６とともに取付け、筺体２に組付けるパネル７と、これ等を全て組付ける前または後、筺体２の開口部を覆う板金部品としてのカバー８に樹脂部品としてのケース１０を組付け固定する。
なお、以下の説明における上下面板、前後面板、左右側面板の表現は電子機器１を使用位置に設置した状態を基準にしたものである。
【００１３】
筺体２は、内部に設けた基板受け兼ねじ固定部２１と、筺体２の両側面板の一部を内方に切り起こして基板受け兼ねじ固定部２１と同じ高さ位置に形成された第１の基板受け部２２と、基板３を挟み込むように筺体２の両側面板の他の一部を内方に切り起こして形成された基板挟み込み部２３ａ，２３ｂ（片側は図示せず）と、第１の基板受け部２２の一部を基板載置側に略直角に折り返して形成された基板組付けガイド部２４と、ねじ固定しない基板縁部に形成された凸部３１が係合するように筺体２の後面板上端縁に略直角に折り曲げ形成された口形係合部２５および該口形係合部の両側から筺体内方に向かって水平に延びて基板受け兼ねじ固定部２１及び各基板受け部２２と略同一高さ位置に形成された第２の基板受け部２６とを備えたものである。
【００１４】
また、筺体２は、両側面板のカバー取付開口端の一部を内方に折り曲げて形成したＬ字状の引っ掛け部２７と、この引っ掛け部２７の近傍において、前記筺体２の開口端側を内方にカバー８の厚み分だけ窪ませた組付けガイド部２８と、後面板の上部にねじ穴１０１と係合穴１０２とを形成している。
【００１５】
表示器４は厚みを有する長方形をなしている。この表示器４を組付け保持するホルダ９は樹脂製素材により作られており、載置された表示器４を厚み方向に付勢するように底面に切り起こし形成された厚み方向付勢手段として弾性片９１、表示器４を端子側に付勢するように上面板の一部を内方に切り起こして形成された下方向付勢手段としての弾性片９２、表示器４を左右から挟持するように左右側面板の一部を内方に切り起こし形成された挟持手段としての弾性片９３、表示器４の表面を押さえるように上面板及び左右側面板に形成された表面押さえ手段としての弾性係合爪９４及び９５を備えている。
【００１６】
また、ホルダ９の後面板及び左右側面板には、ホルダ９を基板３に組付け固定するための弾性係合爪９６及び９７が厚み方向に延在して形成されている。また、底面には基板３の穴に係合する係合爪が形成されているが図２では図示を省略する。
【００１７】
パネル７は、周囲に筺体２に対する組付け用の壁面７０を備え、この壁面７０を形成する上面板より所定距離離れて内部に形成された表示窓７１、この表示窓７１の周縁に枠状に形成されたフィルタ取付部７２、このフィルタ取付部７２の下縁部に添って形成された複数の操作釦７３ａ〜７３ｎを収納する操作釦収納部７３、この操作釦収納部７３と壁面７０の下面板との間に位置して形成された小物入れ７４を有する。組付け用の壁面７０を形成する上下面板及び左右側面板には、筺体２に形成された係合爪と係合する口形係合部７０ａが形成されている。
【００１８】
フード６は、樹脂製素材により枠状に形成されており、フィルタ取付部７２の上面板外面に組付ける上枠面板には、覆い部６１及び係合孔６２を有する。また、フード６の下枠面板には、操作釦の底面に当接するように一定間隔ごとに突出して形成された弾性押圧部６３と係合凹部（図示せず）に係合する係合凸部（図２では省略）を有する。
【００１９】
フィルタ５は、フィルタ取付部７２に沿うように曲面に形成され、その上端縁にはパネル７の口形係合部（図２では省略）に係合するように一定間隔に形成されたテーパを有する引っ掛け弾性係合爪５１と、フィルタ取付部７２に形成された凸部（図２では省略）が係合する位置に凹部５４が形成され、下端縁には操作釦収納部７３の外面に形成された弾性係合爪７５及び位置決め凹部７６に係合するように形成された係合爪５２及び位置決め凸部５３を有する。
【００２０】
カバー８は、筺体２のＬ字状の引っ掛け部２７に係合する引っ掛け爪８１と、組付けガイド部２８に係合するガイド片８２とが両側面板上端縁から組む付け方向に延在して形成されているとともに、筺体２の後面板外面に重ね合わせる直角折り曲げ片８３に該筺体のねじ穴１０１に対向するねじ通し穴（図２では省略）及び前記係合穴１０２に係合する係合爪８５を有する。この係合爪８５には係合穴１０２に対する係合がしやすいようにテーパ８５ａを設けておくと良い。また、係合穴１０２の四隅は円弧部（図示せず）とし、この円弧部で係合爪８５を常に接触させる。
【００２１】
引っ掛け部２７と引っ掛け爪８１との係合面には、筺体２とカバー８が互いに押圧力を付与するようにテーパ（図示せず）が形成され、このテーパの終端部は円弧状（図示せず）に形成されている。また、カバー８は２つの穴８６ａ、８６ｂを並べて形成した係合穴部８６と、切起こし穴８７の縁の１辺を下方に延長した弾性係合片とを備えている。
【００２２】
一方、このカバー８に組付けるケース１０には、カバー８の係合穴部８６に係合する位置決めを兼ねた略コ字状の弾性係合爪１１と、カバー８の切起こし穴８７に通し常に弾性係合片８７ａの下端に係合するように下方に伸びた弾性係合爪１２とがケース１０の対向する開口端縁に形成されている。
【００２３】
以下、各部品の組付けについて説明する。表示器４をホルダ９に組付けるには、ホルダ９にその上面から表示器４を押し付けると、表示器４は弾性片９２、弾性片９３、弾性係合爪９４及び９５を外側に押し広げながら進み、弾性片９１を押し下げながらさらに進む。そして、表示器４が通り過ぎると、弾性片９２は表示器４を端子側に付勢し、弾性片９３は表示器４を左右から挟持し、弾性係合爪９４及び９５は弾性片９１の付勢力で押し上げられる表示器４の表面を押圧保持することで、ホルダ９に対する表示器４の組付けが完了する。この組付け完了後（表示器の組付け前であってもよい。）、弾性係合爪９６及び９７、図示を省略した係合爪によって、ホルダ９を図２に示すように基板３に組付ける。
【００２４】
次いで、表示器４を組付けた基板３を、筺体２の両側面板に形成された第１の基板受け部２２に乗せて組付け方向へ移動させて両側縁を基板挟み込み部２３ａ，２３ｂで挟持させ、その移動終端位置において基板３の移動前端部が第２の基板受け部２６に乗り、ねじ固定しない基板端縁に形成された凸部３１が口形係合部２５に進入する。この状態において、基板３の後端側を基板受け兼ねじ固定部２１に載せてねじ固定する。
【００２５】
一方、筺体２の上面開口にカバー８を組付けるには、カバー８のガイド片８２を筺体２の組付けガイド部２８に沿って移動させて、カバー８を筺体２の開口端面に当接させることにより、カバー８が筺体側に引き込まれすぎて下に下がらないようにしている。
【００２６】
次いで、カバー８を開口端面に当接させた状態で直角折り曲げ片８３が筺体２の後面板外面に当接するまで移動させて、引っ掛け部２７と引っ掛け爪８１とを係合させ、それらが噛合うようにして、左右上下の位置を合わせる。この場合、引っ掛け部２７，引っ掛け爪８１は、入口は大きく、根元は狭くなるようにテーパが形成されているので、組み合わせが容易であるとともに、組み合わせた状態では強固に固定することができる。また、引っ掛け部２７，引っ掛け爪８１の根元に円弧部を設けることにより、両引っ掛け部２７，引っ掛け爪８１を常に接触させることでテンションをかけた状態とすることができる。
【００２７】
また、カバー８の直角折り曲げ片８３を筺体２の後面板外面に当接させて重ね合わせると、直角折り曲げ片８３に形成した係合爪８５が筺体２の後面板の係合穴１０２に係合し、カバー８が筺体２に対して位置決め保持される。そこで、この状態を保って、直角折り曲げ片８３のねじ通し穴に通したねじ（図２では省略）を筺体２のねじ穴１０１にねじ込んでねじ固定する。この場合、係合爪８５は、テーパを有し、係合穴１０２の四隅は、円弧状に形成されているので、係合爪８５は係合穴１０２に挿入し易く、係合爪８５は係合穴１０２の円弧状の隅に常に接触して、カバー８と係合爪８５とで筺体２の後板を挟み込むことにより、常時テンションを付加した状態とすることができる。
【００２８】
一方、フィルタ５をパネル７に取り付けるには、まず、フィルタ５の引っ掛け係合爪５１をパネル７の口形係合部（図示せず）に係合させて、下端側をパネル側に押し付けると、この過程で弾性係合爪５２がパネル側の係合爪７５に係合するとともに、位置決め凸部５３がパネル側の位置決め凹部７６に係合して、フィルタ５はパネル７に組付けられる。
【００２９】
このフィルタ組付け後、フィルタ周辺を覆うようにして、フード６の周辺をパネル側のＬ字形の引き込み位置決め部（図２では省略）に嵌め合わせ、係合孔６２にパネル側の係合爪（図２では省略）を係合させる。この組付けにより、覆い部６１はパネル側の口形係合部（図２では省略）を覆い、弾性押圧部６３は操作釦７３ａ〜７３ｎの底面に当接して該操作釦に対し復元力を付与する。
【００３０】
このようにフィルタ５、フード６を組付けたパネル７の壁面７０を、上記のように基板３を組付けた後の筺体２の前面開口部に嵌め合わせ、壁面７０に形成された口形係合部に筺体２に形成された切り起こし係合爪２９及びカバー８の切起こし係合爪８８を係合させて電子機器１の組付けを完了する。
【００３１】
また、上記の組付け前または完了後において、カバー８にケース１０を組付け固定する。この場合、ケース１０の略コ字状の弾性係合爪１１をカバー８の上面の穴８６ａから挿入し、この状態からケース１０をカバー８側に回動させて、弾性係合爪１１の先端部を穴８６ａ，８６ｂ間の仕切り部８６ｃの下面から穴８６ｂに挿入させて、左右方向の位置決めを行った後、弾性係合爪１２を切起こし穴８７に挿入して弾性係合片８７ａに係合させることにより、ケース１０をカバー８にねじを用いることなく強固に組付けることができる。
【００３２】
この発明は、このような構成の電子機器において、カバーにケースをねじ固定することなく組付けるように工夫したもので、図３はカバーとケースとの分解斜視図、図４は図３とは反対の方向から見たカバーとケースとの分解斜視図、図５は略コ字状の弾性係合爪と係合穴間の仕切り部との係合状態を示す断面図、図６は弾性係合爪と弾性係合片との係合状態を示す断面図である。
【００３３】
この発明に係る樹脂部品固定構造におけるカバー８は、片側に２つの穴８６ａ、８６ｂを１組として左右に２組以上を形成された係合穴部８６と、他側に一定間隔に形成された切起こし穴８７及び穴縁の１辺を下方に延長した弾性係合片８７ａとを有する。
【００３４】
ケース１０はカバー８の穴８６ａ、８６ｂに係合するように対向する開口端縁の一方に形成された略コ字状の弾性係合爪１１と、切起こし穴８７に通し弾性係合片８７ａの下端に係合するように対向する開口端縁の他方に下方に延長形成された弾性係合爪１２とを有する。また、ケース１０は長手方向中間部を所定幅窪ませ、その窪み１３の対向辺に下方に延長して弾性係合爪１２を形成し、その弾性係合爪１２の爪の向きを互いに逆向きとしたものである。この場合、弾性係合爪１２を偶数設け、隣り合う弾性係合爪１２の爪の向きを互いに逆向きに構成することで、一対の弾性係合爪を互いに近づける方向または遠ざける方向に移動させることにより、カバー側の係合爪との係合を容易に外すことができる。
【００３５】
上記の構成であるから、カバー８にケース１０を組付け固定するには、ケース１０の略コ字状の弾性係合爪１１をカバー８の穴８６ａに挿入し、この弾性係合爪１１を穴縁と接触させることで左右の位置決めが行われる。この状態において、ケース１０をカバー８側に回動させて、弾性係合爪１２を切起こし穴８７に挿入して弾性係合片８７ａに係合させるとともに、弾性係合爪１１の先端部を穴８６ａ、８６ｂの間の仕切り部８６ｃの下から穴８６ｂに挿入係合させる。
【００３６】
この結果、略コ字状の弾性係合爪１１はコ字状の折り曲げ内側の円弧部１１ａが仕切り部８６ｃの縁に接触し、位置ずれ浮き上がりが確実に防止される。また、弾性係合爪１２は弾性係合片８７ａに合わせて長くすることにより、湾曲しやすく、十分な弾性を持たせることができ、スムーズな挿入性を確保することができる。また、互いの弾性復元力で内側外側の両方に負荷をかけるので、係合を強固に保持することができ、ケース１０をカバー８にねじを用いることなく強固に組付けることができる。
【００３７】
以上のようにこの発明によれば、カバー側の係合穴部にケース側の略コ字状の弾性係合爪を係合させるので、位置決めを容易化し、組付性、分解性を改善することができる。また、板金部品のカバーに形成した弾性係合片と樹脂部品のケースに形成した弾性係合爪とを十分な長さをとることで、弾性係合爪は弾性係合片との接触によって変形しながら移動し該弾性係合片の位置を通り過ぎると弾性復元して係合するので、弾性係合片と弾性係合爪とは大きな復元力を得ることができ、カバーに対しケースをねじを使用しないで強固に固定することができる。
【００３８】
また、略コ字状の弾性係合爪の曲がり部を円弧部とすることによって、この円弧部が常に穴間の仕切り部の縁に接触するので、左右の位置決めが行われ、位置決めを容易化し位置ずれを防止し安定した組付け状態を維持することができる。
【００３９】
また、樹脂部品のケース側の略コ字状の弾性係合爪を偶数設け、隣り合う弾性係合爪の爪の向きを互いに逆向きとしたので、一対の弾性係合爪を互いに近づける方向または遠ざける方向に移動させることにより、カバー側の係合爪との係合を容易に外すことができ、分解性に優れ、リサイクル性に優れた効果が得られる。
【産業上の利用可能性】
【００４０】
この発明に係る樹脂部品固定構造は、位置決めの容易化及び組付け性の改善といった効果を有する為、板金部品のカバーに対し樹脂部品を固定する際等に用いるのに適している。
【図１】
2010106606.tif 000003
【図２】
2010106606.tif 000004
【図３】
2010106606.tif 000005
【図４】
2010106606.tif 000006
【図５】
2010106606.tif 000007
【図６】
2010106606.tif 000008
【国際調査報告】
2010106606.tif 000009
2010106606.tif 000010